(57)【要約】【課題】多種のカードを処理するカード処理装置において、カードの腰の強弱によって振分け構造を変え、腰の強いカードは可動式振分け部とし、腰の弱いカードはフラッパを用いる振分け部によるというように使い分けが必要となっており、それぞれの振分け構造を個々に必要とする問題があると共にそれぞれの振分け部を別々に設置しておかなければならないという問題がある。【解決手段】多種のカードを、各カード毎の処理を行うユニットに振分けて搬送する手前の共通搬送路中に、搬送路切替ガイドを回動可能に設け、その搬送路切替ガイドの周囲に、前記各ユニットに連続するユニットガイドを放射状に配置した搬送路切替部を設け、搬送路切替ガイドに一時保留したカードを前記各ユニットガイドに選択的に接続するようにしたことを特徴とする。【選択図】        図１
2005242435.tif 000002
【特許請求の範囲】
【請求項１】
多種のカードを、各カード毎の処理を行うユニットに振分けて搬送する手前の共通搬送路中に、搬送路切替ガイドを回動可能に設け、その搬送路切替ガイドの周囲に、前記各ユニットに連続するユニットガイドを放射状に配置した搬送路切替部を設け、搬送路切替ガイドに一時保留したカードを前記各ユニットガイドに選択的に接続するようにしたことを特徴とするカード処理装置。
【請求項２】
請求項１において、カードを搬送する搬送路のインサータユニットのカード走行路の両側にマーク検知センサを配置したことを特徴とするカード処理装置。
【発明の詳細な説明】
【技術分野】
【０００１】
本発明は、磁気カードとＩＣカード等のような多種類のカードの読み取りを可能とし、さらにカードの挿入方向にかかわらず読み取ることができるようにしたカード処理装置に関する。
【背景技術】
【０００２】
例えば、磁気カードとＩＣカードのような多種類のカードを利用できるようにしたカード処理装置として、カードが現在搬送している搬送路をそのまま進むのか他の搬送路に切換えられるのか選択的に振分けができるようになっている装置がある。
その振分け部には、可動式振分けガイド部と、この振分けガイド部を稼動する駆動アクチュエータとから構成されているものと、フラッパと、このフラッパを駆動するソレノイドとによって構成されるものとが併用されており、多種類のカードに対応している。（例えば、特許文献１参照。）。
【特許文献１】特開２００２−３０４６４３号公報（段落００２０〜段落００２５）、図２
【発明の開示】
【発明が解決しようとする課題】
【０００３】
しかしながら、上述した従来の技術においては、カードの腰の強弱によって振分け構造を変え、腰の強いカードは可動式振分け部とし、腰の弱いカードはフラッパを用いる振分け部によるというように使い分けが必要となっており、それぞれの振分け構造を個々に必要とする問題があると共にそれぞれの振分け部を別々に設置しておかなければならないという問題がある。
【０００４】
本発明は、上記の問題点を解決するためになされたもので、一箇所の振分け部で複数の種類の振分けを可能にする手段を提供することを目的とする。
【課題を解決するための手段】
【０００５】
そこで本発明は、多種のカードを、各カード毎の処理を行うユニットに振分けて搬送する手前の共通搬送路中に、搬送路切替ガイドを回動可能に設け、その搬送路切替ガイドの周囲に、前記各ユニットに連続するユニットガイドを放射状に配置した搬送路切替部を設け、搬送路切替ガイドに一時保留したカードを前記各ユニットガイドに選択的に接続するようにしたことを特徴とする。
【０００６】
さらに、上記において、カードを搬送する搬送路のインサータユニットのカード走行路の両側にマーク検知センサを配置したことを特徴とする。
【発明の効果】
【０００７】
これにより、本発明は一箇所の搬送路切替ガイドによって多種のカードを、各カード毎の処理ユニットに振り分けることが可能となる効果を有する。
また、カードの挿入方向が前後の向きにかかわらず処理できるという効果が得られる。
【発明を実施するための最良の形態】
【０００８】
以下に、図面を参照して本発明の実施例について説明する。
第１実施例
図１は本発明の第１実施例を示す側面説明図である。
なお、以下の説明において、本実施例では２種のカードを磁気カードと非接触ＩＣとして説明するが、このような組み合わせに限るものではなく、どのようなカードの組み合わせであってもよい。
【０００９】
図において、１はインサータユニット、２はカードリーダユニット、３は非接触ＩＣユニット、４はリライトユニット、５はホッパユニット、６はこれら各ユニットに振分け搬送する手前の共通搬送路中に設けた搬送路切替部である。
前記インサータユニット１には、磁気ヘッド１０１、マーク検知センサ１０２Ｌ、１０２Ｒ等があり、リライトユニット４には通常の印字ヘッド１０３、消去ヘッド１０４がある。
【００１０】
前記搬送路切替部６の詳細を図２、図３を用いて以下に説明する。
１１４は搬送路切替用ガイド、１１５はこの搬送路切替用ガイド１１４に設けたフィードローラであり、この搬送路切替ガイド１１４は駆動源に連結した回転軸１１６によって矢印方向に回動可能に支持されている。
前記回動可能な搬送路切替ガイド１１４の周囲に、この搬送路切替ガイド１１４と搬送路を接続するインサータユニットガイド１０６、カードリーダユニットガイド１０７、非接触ＩＣユニットガイド１０８、前記インサータユニットガイド１０６に対向配置したリライトユニットガイド１０９等が放射状に配置され、それらそれぞれのユニットガイドにはそれぞれフィードローラ１１０、１１１、１１２、１１３が設けてある。なお、上記カードリーダユニットガイド１０７、非接触ＩＣユニットガイド１０８の設置方向および角度は任意である。
【００１１】
上述した構成の作用について説明する。
カード挿入口８からカード７を挿入すると、インサータユニット１の磁気ヘッド１０１やマーク検知センサ１０２等のセンサにより、カード７の種類が例えば磁気カードか非接触ＩＣカードかを判別し、搬送路切替ガイド１１４にカード７を送って一時保留される。
インサータユニット１のセンサによって判別されたカード７は、例えば、それが磁気カードであると、搬送路切替ガイド１１４はカード７を保持したまま回転してカードリーダユニットガイド１０７に対向してカードリーダユニット２に搬送される。
【００１２】
カードリーダユニット２により磁気リードが完了すると、再び搬送路切替ガイド１１４に搬送し、一時保留され、インサータユニットガイド１０７へと切り替ってインサータユニット２に搬送される。
インサータユニット２に挿入されたカードが非接触ＩＣカードと判別されると、上記と同様に非接触ＩＣユニット３に搬送されて処理される。
【００１３】
以上の実施例によると、複数種類のカードを判別してそれぞれの処理ユニットへと一箇所の搬送路切替ガイドによって切替えることが可能となり、装置の小型化，処理時間の短縮をはかることができる。
第２実施例
本発明の第２実施例を以下に説明する。
【００１４】
カードは、前後の向きや表裏があるために挿入方法を間違えるとカードを排出して処理が行えないことになる。
そこで、向きを間違えて挿入されても処理が行えるようにした実施例である。上記第１実施例と同様の部分は、同一の符号を付してその説明を省略する。
図４はインサータ部の平面説明図、図５は側面説明図であり、図において、インサータユニット１に設けたマーク検知センサ１０２Ｌ、１０２Ｒはインサータユニット１の走行路の左右に配置してある。
【００１５】
以下の説明をＳｕｉｃａ（東日本旅客鉄道株式会社の登録商標）ＩＯカードで説明する。
図６はカードの裏面の説明図であり、マーク部７１およびシリアル番号７２の周辺が黒色印刷されている。そしてマーク部７１の位置を図７に示す。
このような構成によると、図８のフローチャートに示す如く、カード挿入口８からカード７を挿入すると（Ｓ１）、磁気ヘッド１０１で磁気ストライプの有無を判別する（Ｓ２）。磁気ストライプ有りの場合には第１実施例で説明した如く、カードリーダユニット２に搬送される（Ｓ３）。
【００１６】
磁気ストライプ無しの場合は、２つのマーク検出センサ１０２Ｌ、１０２Ｒでマークの有無及び向きを判別（Ｓ４）して非接触ＩＣユニット３に搬送されて所望の処理が行われる（Ｓ５）。なお、カードが表裏逆に挿入された場合は、マークは検出されないためマークなしとして表裏逆と判定してカード挿入口８に返す（Ｓ６）。
以上の説明の如く、２つのマーク検出センサにより、マークを検知するために、挿入方向を間違えても向きを間違えただけであればカードの処理が行えることになる。
【００１７】
ここで、マーク検知センサ１０２Ｌ、１０２Ｒの調整について説明する。
センサの調整は、図９、図１０に示す如く、カード先端部の白色部にて行われるため、図８のようにカードが挿入された場合は、カード検知センサ１０２Ｌは、黒色部があるために調整できない。よって、マーク検知センサ１０２Ｒのみを行い、その補正データをマーク検知センサ１０２Ｌに反映させる。マーク検知センサ１０２Ｒは発光側センサからの光をカードに反射させ、その反射光を受光側センサが受けて受光レベルを見ることでマークの識別を行っている。
【００１８】
そこで、図１１のフローチャートに示す如く、カード検知センサ１０２Ｒで一定の発光電流値で発光させ、その反射光を受光側センサが受けて調整を行う（ＳＡ１）。
受光側センサの受光ゲイン値を徐々に変えながら（ＳＡ２）その度に受光レベルをＣＰＵのＡＤ変換器で読み取ることで調整を行う（ＳＡ３）。
調整の終了は、ファーム設定によるある一定値以上の値となったところで終了とし（ＳＡ４）、その補正データがカード検知センサ１０２Ｌに反映させる（ＳＡ５）。
【００１９】
ここで、受光ゲイン値を変えてもＡＤ値が設定値以上にならなかった場合は、調整回数オーバーとして（ＳＡ６）調整エラーとする（ＳＡ７）。
調整エラーとなった場合は、装置内に実装してあるサーミスタにより周囲温度を読み取り（ＳＡ８）、初期調整で得られた受光ゲイン初期値に温度補正をかけて受光ゲイン値として調整終了とする（ＳＡ９）。なお、マーク検知センサ１０２Ｌ、１０２Ｒのセンサ固体毎のバラツキは、マーク検知センサ１０２Ｌ、１０２Ｒにはじめて電源が入った時に各センサ、各装置に合った調整値に初期調整を実施しておく。
【００２０】
なお，上記の説明ではＣＰＵのＡＤ変換器を用いて調整を行ったが、ゲートアレイ（Ｇ／Ａ）のＩＯポートを用いて行ってもよい。
【図面の簡単な説明】
【００２１】
【図１】第１実施例を示す側面説明図
【図２】搬送路切替部の詳細説明図
【図３】搬送路切替部の詳細説明図
【図４】インサータ部の平面説明図
【図５】インサータ部の側面説明図
【図６】カード裏面の説明図
【図７】マークの説明図
【図８】挿入動作時のフローチャート
【図９】調整エリアの説明図
【図１０】調整エリアの説明図
【図１１】調整動作時のフローチャート
【符号の説明】
【００２２】
１  インサータユニット
２  カードリーダユニット
３  非接触ＩＣユニット
４  リライトユニット
５  ホッパユニット
６  搬送路切替部
７  カード
８  カード挿入口
１０１  磁気ヘッド
１０２Ｌ、１０２Ｒ  マーク検知センサ
１０３  印字ヘッド
１０４  消去ヘッド
１０６  インサータユニットガイド
１０７  カードリーダユニットガイド
１０８  非接触ＩＣユニットガイド
１０９  リライトユニットガイド
１１０、１１１、１１２、１１３  フィードローラ
１１４  搬送路切替用ガイド
１１５  フィードローラ
１１６  回転軸
【図１】
2005242435.tif 000003
【図２】
2005242435.tif 000004
【図３】
2005242435.tif 000005
【図４】
2005242435.tif 000006
【図５】
2005242435.tif 000007
【図６】
2005242435.tif 000008
【図７】
2005242435.tif 000009
【図８】
2005242435.tif 000010
【図９】
2005242435.tif 000011
【図１０】
2005242435.tif 000012
【図１１】
2005242435.tif 000013